(57)【特許請求の範囲】
【請求項１】
筐体にディスプレイが配備されると共に、該ディスプレイの画面を覆って透光性のタッチパネル入力装置が配備されており、複数の動作モードの中からユーザが選択した１つの動作モードを実行することが可能な携帯端末機において、
ディスプレイの画面に、該画面上を一方向に伸びるスクロールラインを表示し、ユーザのスクロール操作に応じて、該スクロールラインを前記一方向とは交叉する方向へ移動させるスクロールライン表示手段と、
ユーザのスクロール操作に応じて、前記複数の動作モードの中から、スクロールラインの位置に対応付けられた１つの動作モードを選択し、該スクロールラインを境界線としてディスプレイの画面に表示領域と操作領域を形成し、表示領域には、選択された１つの動作モードの初期画面を表示する一方、操作領域には、該動作モードで使用する１或いは複数の操作キーを表示するモード選択制御手段と、
１つの動作モードが選択された状態でのユーザのモード確定操作に応じて、選択された１つの動作モードを確定し、操作領域に表示されている操作キーの操作に応じて該動作モードの所定の処理を実行すると共に、その動作画面を前記表示領域に表示するモード実行制御手段
とを具えていることを特徴とする携帯端末機。
【請求項２】
前記スクロールラインは、ディスプレイの画面上に予め設定されている複数のモード選択位置に移動させることが可能であって、前記モード選択制御手段は、スクロールラインが１つのモード選択位置に達したときのスクロールラインの表示状態と、モード選択位置間を移動中のスクロールラインの表示状態に、視覚的な差を設ける請求項１に記載の携帯端末機。
【請求項３】
前記モード選択制御手段は、スクロールラインが１つのモード選択位置に達したときに該スクロールラインを発光させ、モード選択位置間の移動中は該スクロールラインの発光を停止させる請求項２に記載の携帯端末機。
【請求項４】
前記モード実行制御手段は、ディスプレイの画面の表示領域に、確定された動作モードの動作画面を表示すると共に、該動作画面に含まれる操作アイコンを拡大表示する請求項１乃至請求項３の何れかに記載の携帯端末機。
【請求項５】
前記モード実行制御手段は、ディスプレイの画面の表示領域に、確定された動作モードの動作画面を表示すると共に、該動作画面のスクロール状態を表わす表示部を表示し、ユーザの操作に応じて該表示部の表示を変更すると共に、動作画面をスクロールさせる請求項１乃至請求項４の何れかに記載の携帯端末機。
【請求項６】
前記モード実行制御手段は、ディスプレイの画面の表示領域に、確定された動作モードの動作画面を表示する一方、ディスプレイの画面の操作領域に、該動作画面の画像若しくは音声の設定を表わす表示部を表示し、ユーザの操作に応じて該表示部の表示を変更すると共に、画像若しくは音声の設定を変化させる請求項１乃至請求項５の何れかに記載の携帯端末機。
【請求項７】
前記筐体には、前記スクロール操作とモード確定操作のためのジョグダイヤルが配備され、前記モード選択制御手段は、該ジョグダイヤルを押下した状態で回転させる操作をスクロール操作として認識し、前記モード実行制御手段は、該ジョグダイヤルの押下を解除する操作をモード確定操作として認識する請求項１乃至請求項６の何れかに記載の携帯端末機。
【請求項８】
前記筐体には、前記スクロール操作及びモード確定操作のためのジョグダイヤルが配備され、前記モード選択制御手段は、該ジョグダイヤルを押下した状態で回転させる操作をスクロール操作として認識し、前記モード実行制御手段は、該ジョグダイヤルの押下を解除する操作をモード確定操作として認識する一方、該ジョグダイヤルを押下解除状態で回転させる操作に応じて、前記表示部の表示を変更する請求項５又は請求項６に記載の携帯端末機。
【請求項９】
予め用意されている複数の動作モードの中からユーザが予め選択した複数の動作モードを対象として、前記モード選択制御手段による動作モードの選択と、前記モード実行制御手段による動作モードの起動が可能である請求項１乃至請求項８の何れかに記載の携帯端末機。
【発明の詳細な説明】
【技術分野】
【０００１】
本発明は、携帯電話機などの携帯端末機に関し、特に操作性の良好なユーザインターフェースを搭載した携帯端末機に関するものである。
【背景技術】
【０００２】
近年、携帯電話機においては、多機能化が進んでおり、電話機能や電子メール機能の他、ＴＶ画面表示機能、音楽再生機能、ウェブサイト表示機能など、多くの機能が設けられている。
しかしながら、この様な多機能化に伴って、ユーザが所望の１つの機能(動作モード)を起動させるために必要とされる操作の回数は益々増加しており、操作性悪化の問題があった。
【０００３】
そこで、手書き入力機能の具備によって操作性を改良せんとする携帯電話機(特許文献１)や、２つの筐体のヒンジ部に操作部を設けて該操作部の操作によって通信相手の宛先情報を探索するようにした電話機(特許文献２)など、種々の提案が為されている。
【特許文献１】特開２０００−２７８３９１号公報［H04M1/127］
【特許文献２】特開２００２−２５２６８９号公報［H04M1/03］
【発明の開示】
【発明が解決しようとする課題】
【０００４】
しかしながら、従来の電話機において、ユーザが１つの機能を選択するためにディスプレイに表示されるのは、機能の名称やアイコンを羅列した単なるメニューに過ぎず、選択した機能は起動させない限り具体的にどの様な機能であるのかを認識することが出来ないため、所望の１つの機能を探し出すことが困難であり、所望の機能を起動させるまでに時間がかかる問題があった。
そこで、本発明は、所望の機能(動作モード)を容易に探し出して、その機能を素早く起動させることが出来る通信端末機を提供することを目的とする。
【課題を解決するための手段】
【０００５】
本発明に係る通信端末機においては、筐体にディスプレイが配備されると共に、該ディスプレイの画面を覆って透光性のタッチパネル入力装置が配備されており、複数の動作モードの中からユーザが選択した１つの動作モードを実行することが可能となっており、
ディスプレイの画面に、該画面上を一方向に伸びるスクロールラインを表示し、ユーザのスクロール操作に応じて、該スクロールラインを前記一方向とは交叉する方向へ移動させるスクロールライン表示手段と、
ユーザのスクロール操作に応じて、前記複数の動作モードの中から、スクロールラインの位置に対応付けられた１つの動作モードを選択し、該スクロールラインを境界線としてディスプレイの画面に表示領域と操作領域を形成し、表示領域には、選択された１つの動作モードの初期画面を表示する一方、操作領域には、該動作モードで使用する１或いは複数の操作キーを表示するモード選択制御手段と、
１つの動作モードが選択された状態でのユーザのモード確定操作に応じて、選択された１つの動作モードを確定し、操作領域に表示されている操作キーの操作に応じて該動作モードの所定の処理を実行すると共に、その動作画面を前記表示領域に表示するモード実行制御手段
とを具えている。
【０００６】
上記本発明の携帯端末機においては、ディスプレイの画面に表示されているスクロールラインを一方向に移動させるスクロール操作を行なうことによって、予めスクロールラインの位置に対応付けされている１つの動作モードが順次選択されて、画面の表示領域には、複数の動作モードの初期画面、例えばモード選択時における動作画像(静止画若しくは動画)が切り換え表示される。
そこでユーザは、所望の動作モードの初期画面が表示された時点で、モード確定操作を行なう。これによって該動作モードが起動される。該動作モードにおいては、画面の操作領域に表示されている操作キーの押下に応じ、該動作モードが実行されることになる。
この様に、ユーザは、複数の動作モードの初期画面を観ながら視覚的に所望の動作モードを探し出すことが出来、所望の動作モードを迅速に起動させることが出来る。
【０００７】
具体的構成において、前記スクロールラインは、ディスプレイの画面上に予め設定されている複数のモード選択位置に移動させることが可能であって、前記モード選択制御手段は、スクロールラインが１つのモード選択位置に達したときのスクロールラインの表示状態と、モード選択位置間を移動中のスクロールラインの表示状態に、視覚的な差を設ける。
ここで表示状態の視覚的な差とは、輝度の大小、点滅の有無、色の違い、発光させる線の太さの違い等を意味しており、スクロールライン以外の画面の表示状態(輝度の大小、ぼかし処理の有無等)との相対的な関係で決まる概念であり、ユーザが、移動中のスクロールラインと、モード選択位置又はその近傍位置に達したスクロールラインとを、視覚的に区別し得る全ての表示状態の違いを含んでいる。
これによって、ユーザは、スクロールラインが所定のモード選択位置に達したことを認識することが出来る。
例えば、スクロールラインが１つのモード選択位置に達したときに該スクロールラインを発光させ、モード選択位置間の移動中は該スクロールラインの発光を停止させる。この場合、スクロールラインは、モード選択位置間を移動している過程では発光せず、１つのモード選択位置に達したときに発光するので、スクロールラインが所定のモード選択位置に達したことを容易に認識することが出来る。
【０００８】
他の具体的な構成において、前記モード実行制御手段は、ディスプレイの画面の表示領域に、確定された動作モードの動作画面を表示すると共に、該動作画面に含まれる操作アイコンを拡大表示する。
これによって、ユーザは、ディスプレイに表示されている動作画面上の所望の操作アイコンを容易に操作することが可能である。
【０００９】
他の具体的な構成において、前記モード実行制御手段は、ディスプレイの画面の表示領域に、確定された動作モードの動作画面を表示すると共に、該動作画面のスクロール状態を表わす表示部を表示し、ユーザの操作に応じて該表示部の表示を変更すると共に、動作画面をスクロールさせる。
該具体的構成によれば、ディスプレイに表示されている動作画面を容易にスクロールさせることが出来る。
【００１０】
又、他の具体的な構成において、前記モード実行制御手段は、ディスプレイの画面の表示領域に、確定された動作モードの動作画面を表示する一方、ディスプレイの画面の操作領域に、該動作画面の画像若しくは音声の設定を表わす表示部を表示し、ユーザの操作に応じて該表示部の表示を変更すると共に、画像若しくは音声の設定を変化させる。
該具体的構成によれば、例えばＴＶ放送受信時にディスプレイに表示されている動作画面(ＴＶ画面)のチャンネルを容易に切り換え、或いは音声ボリュームを容易に調整することが出来る。
【００１１】
更に具体的な構成において、前記筐体には、前記スクロール操作とモード確定操作のためのジョグダイヤルが配備されている。
前記モード選択制御手段は、該ジョグダイヤルを押下した状態で回転させる操作をスクロール操作として認識する。前記モード実行制御手段は、該ジョグダイヤルの押下を解除する操作をモード確定操作として認識する。
従って、ユーザは、ジョグダイヤルを押下した状態で回転させることによって、ディスプレイに複数の動作モードの初期画面を切り換え表示し、所望の動作モードの初期画面が表示された時点で、該ジョグダイヤルの押下を解除するだけで、所望の動作モードを起動することが出来る。
【００１２】
又、前記モード実行制御手段は、該ジョグダイヤルの押下を解除する操作をモード確定操作として認識する一方、該ジョグダイヤルを押下解除状態で回転させる操作に応じて、前記表示部の表示を変更する。
従って、ユーザは、１つの動作モードの実行中に、ジョグダイヤルを押下することなく回転させることにより、例えばＴＶ放送受信時にはディスプレイに表示されているＴＶ画面のチャンネルを容易に切り換え、或いは音声ボリュームを容易に調整することが出来る。
【００１３】
更に他の具体的な構成においては、予め用意されている複数の動作モードの中からユーザが予め選択した複数の動作モードを対象として、前記モード選択制御手段によるモードの選択と、前記モード実行制御手段によるモードの起動が可能である。
該具体的構成によれば、ユーザの個々の好みに応じて、選択・起動の対象となる複数の動作モードを設定することが出来るので、所望の動作モードの起動をより迅速に行なうことが出来る。
【発明の効果】
【００１４】
本発明に係る携帯端末機によれば、所望の機能を容易に探し出して、その機能を素早く起動させることが出来る。
【発明を実施するための最良の形態】
【００１５】
以下、本発明を携帯電話機に実施した形態につき、図面に沿って具体的に説明する。
本発明に係る携帯電話機は、図１(ａ)(ｂ)に示す如く扁平な直方体状の筐体(８)を具え、該筐体(８)の内部には、図２に示す如く、電話通信のための通信回路(１)と、マイクロコンピュータからなる制御回路(２)と、相手の音声を出力するためのスピーカ(３)と、ユーザの音声を入力するためのマイクロフォン(４)とが配備されている。又、制御回路(２)には、画像を表示するための液晶ディスプレイ(５)と、タッチ入力を行なうための透明のタッチパネル入力装置(６)と、後述のスクロール操作及びモード確定操作を行なうためのジョグダイヤル(７)が接続されている。
尚、スピーカ(３)とマイクロフォン(４)は、電話通話のために筐体(８)の両端部に配置されるが、液晶ディスプレイ(５)の画面に対して左右の位置に、ＴＶ放送の音声を出力する一対のスピーカを配置することも可能である。
【００１６】
液晶ディスプレイ(５)は、図１(ａ)の如く筐体(８)の表面の略全域に露出する画面を有し、該画面の全域を覆ってタッチパネル入力装置(６)が配備されており、筐体(８)の画面に表示された内容を実際に触れるような感覚でタッチ操作することにより、入力を行なうことが可能となっている。尚、タッチパネル入力装置(６)の表面には、その下半領域に、格子状の溝パターン(90)が形成されている。
又、ジョグダイヤル(７)は、図１(ｂ)の如く筐体(８)の背面中央部に配備されており、押圧操作と回転操作とが可能となっている。又、ジョグダイヤル(７)の左右にも、状況に応じてジョグダイヤル(７)とともに操作される押下キーが配備されている。
【００１７】
本発明に係る携帯電話機においては、図４(ａ)に示す音楽再生モードと、図４(ｂ)に示すＷｅｂ画面表示モードと、図４(ｃ)に示す横長画面によるＴＶ視聴モードと、図５(ａ)に示す通常画面によるＴＶ視聴モードと、図５(ｂ)に示すメール作成モードと、図５(ｃ)に示すフルキーボードモードの設定が可能となっており、画面を水平方向に横切って表示されるスクロールライン(９)を上下に移動させることによって、これら複数の動作モードの中から１つの動作モードが選択される。音楽再生モードでは、音楽のみならず、動画付きの音楽を再生することも可能である。
尚、スクロールライン(９)は、前記溝パターン(90)の格子ピッチで上下に移動することが可能であり、所定のモード選択位置に達したときに発光し、モード選択位置間を移動する過程では発光が停止する。
【００１８】
図４(ａ)に示すスクロールライン(９)を最も下方のモード選択位置に設定することによって、音楽再生モードが選択される。音楽再生モードにおいては、スクロールライン(９)の上方に表示領域(91)が形成されると共に、下方に操作領域(92)が形成される。
そして、表示領域(91)には、再生中の音楽や動画の内容を示すジャケットの画像と、再生可能な複数の音楽或いは動画のジャケットを選択する選択アイコンが表示される。又、操作領域(92)には、巻き戻し(逆送り)、再生、早送りの操作キーが表示される。
【００１９】
前記ジョグダイヤル(７)を押下状態で回転操作し、図４(ｂ)に示す様に、スクロールライン(９)を１つ上のモード選択位置に設定することによって、Ｗｅｂ画面表示モードが設定される。Ｗｅｂ画面表示モードにおいては、スクロールライン(９)の上方に表示領域(91)が形成されると共に、スクロールライン(９)の下方に操作領域(92)が形成される。
そして、表示領域(91)には、Ｗｅｂ画面が表示される共に、該Ｗｅｂ画面に含まれる複数のツールバーアイコンが拡大表示される。又、操作領域(92)には、Ｗｅｂ画面を操作するための複数の操作キーが表示される。
【００２０】
更に前記ジョグダイヤル(７)を押下状態で回転操作し、図４(ｃ)に示す様に、スクロールライン(９)を１つ上のモード選択位置に設定することによって、横長画面によるＴＶ視聴モードが設定される。横長画面によるＴＶ視聴モードにおいては、スクロールライン(９)の上方に表示領域(91)が形成されると共に、スクロールライン(９)の下方に操作領域(92)が形成される。
そして、表示領域(91)には、ＴＶ画面が横向きに表示される。又、操作領域(92)には、ＴＶ視聴状態(チャンネル、音声ボリュームなど)を変更するための複数の操作キーが横向きに表示される。
【００２１】
更に前記ジョグダイヤル(７)を押下状態で回転操作し、図５(ａ)に示す様に、スクロールライン(９)を１つ上のモード選択位置に設定することによって、通常画面によるＴＶ視聴モードが設定される。通常画面によるＴＶ視聴モードにおいては、スクロールライン(９)の上方に表示領域(91)が形成されると共に、スクロールライン(９)の下方に操作領域(92)が形成される。
そして、表示領域(91)には、ＴＶ画面が通常の向きに表示される。又、操作領域(92)には、他のチャンネルを選択するための複数の動画サムネイルが表示される。
【００２２】
更に前記ジョグダイヤル(７)を押下状態で回転操作し、図５(ｂ)に示す様に、スクロールライン(９)を１つ上のモード選択位置に設定することによって、メール作成モードが設定される。メール作成モードにおいては、スクロールライン(９)の上方に表示領域(91)が形成されると共に、スクロールライン(９)の下方に操作領域(92)が形成される。
そして、表示領域(91)には、作成したメール文章が表示される。又、操作領域(92)には、文章入力のための複数の操作キーが表示される。
【００２３】
更に前記ジョグダイヤル(７)を押下状態で回転操作し、図５(ｃ)に示す様に、スクロールライン(９)を最上位のモード選択位置に設定することによって、フルキーボードモードが設定される。フルキーボードモードにおいては、スクロールライン(９)の上方に形成されるべき表示領域(91)は消失し、スクロールライン(９)の下方、即ち画面全域に拡がる操作領域(92)が形成される。
そして、操作領域(92)には、文章入力のための複数の操作キーが表示されると共に、入力した文章の一部が表示される。
【００２４】
上述の如くジョグダイヤル(７)の押下スクロール操作により、スクロールライン(９)が所定のモード選択位置まで移動して、１つの動作モードが選択されると、液晶ディスプレイ(５)には、選択された動作モードのモード選択時における動作画像(初期画面)が表示されるが、この時点では該動作モードは未確定の状態であり、その後のジョグダイヤル(７)の押圧解除によって、該動作モードが確定することになる。
尚、ジョグダイヤル(７)のスクロール操作には、順方向の操作と逆方向の操作があり、逆方向のスクロール操作によって逆向きのスクロール処理、及び／又は逆向きの動作モード切替処理が実行される。
【００２５】
音楽再生モードにおいては、図６(ａ)(ｂ)に示す如く表示領域(91)に、１つのアルバムに収録されている複数の楽曲の表示をスクロールさせるための第１のスクロールバー表示部(97)と、複数のアルバムの表示をスクロールさせるための第２のスクロールバー表示部(98)とが表示される。
何れのアルバムの選択アイコンも選択されていない状態、或いは、表示領域(91)に大きく表示され、選択されているアルバムが存在する状態では、第１のスクロールバー表示部(97)が有効となり、この状態で前記ジョグダイヤル(７)を押圧解除状態で回転させることにより、複数の楽曲がスクロール表示される。これに対し、何れか１つのアルバムの選択アイコンを押下して、該アルバムを選択した状態では、第２のスクロールバー表示部(98)が有効となり、前記ジョグダイヤル(７)を押圧解除状態で回転させることにより、複数のアルバムの表示をスクロールさせ、他のアルバムを選択することが可能となる。
【００２６】
又、横長画面によるＴＶ視聴モードにおいては、図７(ａ)(ｂ)に示す様に操作領域(92)に、チャンネル切り換えのための操作キーが表示されると共に、音声ボリュームの調整値(音量)を表示する音量バー表示部(99)が表示される。この状態で、前記ジョグダイヤル(７)を押圧解除のまま回転させると、音声ボリュームを調整することが出来る。
【００２７】
一方、通常画面によるＴＶ視聴モードにおいては、操作領域(92)に表示されている複数の動画サムネイルの中から、所望の１つの動画サムネイルの押圧操作することによって、図８(ａ)(ｂ)に示す様にチャンネル切り換えを行なうことが出来る。尚、チャンネル切り換り換えの後、所定時間(例えば５秒〜１０秒程度)の間にスクロール操作を行なうと、その操作は、選択されたチャンネルが所望のチャンネルでなかったためにチャンネルを他のチャンネルに切り換える場合の操作と判断し、或いは他のチャンネルを視聴したい場合の操作と判断し、他のチャンネルを選択するようにしてもよい。
又、操作領域(92)に表示されている“ＭＥＮＵ”キーを押圧操作すれば、図８(ｃ)に示す如く、録画予約や字幕設定等の機能設定を行なうための操作キーが表示され、その中の“ＴＶ”キーを押圧操作すれば、図８(ａ)のチャンネル切り換え画面に戻ることになる。
【００２８】
図３は、前記制御回路(２)が実行するモード切り換えのための手続きを表わしている。先ずステップＳ１では、何らかのキー操作があったか否かを判断し、イエスと判断されたとき、ステップＳ２へ移行し、ジョグダイヤルを回転させるスクロール操作以外のキー操作か否かを判断する。ここでイエスと判断されたときはステップＳ３に移行して、通常のキー操作の処理を実行する。
【００２９】
一方、ステップＳ２にてノーと判断されたときは、ステップＳ４に移行して、そのスクロール操作がジョグダイヤルの押下状態での押下スクロールか否かを判断する。ここでノーと判断されたときは、ステップＳ９に移行して、チャンネル切り換えや音量調整などの動作モードにおける通常のスクロール処理を実行し、更にステップＳ１０では、モードに応じたスクロール表示を行なった後、ステップＳ２に戻る。
【００３０】
ジョグダイヤルが押下状態でスクロール操作され、ステップＳ４にてイエスと判断されたときは、ステップＳ５に移行して、現在の表示領域と操作領域との境界線(スクロールライン)を発光によって強調表示する。このとき、あわせて表示されている画面をぼんやりとした表示に切り換えたり、表示輝度を落としたりすることによって、スクロールラインの発光をより強調する様にしてもよい。
【００３１】
次にステップＳ６では、スクロールの方向に応じてモード切り換えを行なうと共に、現在の表示領域と操作領域との境界線(スクロールライン)の移動を行なう。
続いてステップＳ７では、ジョグダイヤルの押下スクロールが解除されたか否かを判断し、ノーと判断されたときはステップＳ６に戻って、モード切り換えと境界線の移動を繰り返す。
一方、ステップＳ７にてイエスと判断されたときはステップＳ８に移行して、選択されているモードを確定して、モード切り換え処理を終了する。
【００３２】
上記のモード切り換え処理により、図４(ａ)(ｂ)(ｃ)及び図５(ａ)(ｂ)(ｃ)に示す押下スクロールによるモード切り換えと、図６及び図７に示す通常スクロールによる動作変更が実行されることになる。
【００３３】
上記本発明の携帯電話機によれば、ジョグダイヤル(７)の押下スクロール操作によって、液晶ディスプレイ(５)の画面に表示されているスクロールライン(９)を上下に移動させることにより、予めスクロールライン(９)の位置に対応付けられている１つの動作モードが順次選択されて、画面の表示領域(91)には、図４及び図５の如く複数の動作モードの初期画面が切り換え表示されるので、ユーザは、複数の動作モードの初期画面を観ながら視覚的に所望の動作モードを探し出すことが出来る。そして、ユーザは、所望の動作モードの初期画面が表示された状態においてジョグダイヤル(７)の押下を解除するだけで、所望の動作モードを迅速に起動することが出来る。
【００３４】
尚、本発明の各部構成は上記実施の形態に限らず、特許請求の範囲に記載の技術的範囲内で種々の変形が可能である。例えば、モード選択時に表示すべき初期画面としては、上述の如く、モード選択時の動作画面、例えばその時点で選択されている実際のＷｅｂ画面や、その時点で選択されているチャンネルの実際のＴＶ画面を表示する構成の他、各動作モードの内容を表わす所定のデフォルト画面を表示する構成も採用可能である。
又、スクロールライン(９)としては、表示領域(91)と操作領域(92)の境界線を発光させる構成に限らず、表示領域(91)と操作領域(92)の境界位置を示す種々の表示形態を採用することが出来る。
【００３５】
又、モード選択位置間の移動中にスクロールラインを発光させ、1つのモード選択位置付近に達したとき、或いは通過するとき、このスクロールラインを一層強く発光させてもよい。更に、スクロールラインの移動中はその移動を強調するため、スクロールライン以外の画面表示をぼかしたり、輝度を落としたりするなど、画面全体を制御して、スクロールラインを強調するようにしてもよい。但し、電話機能に関してユーザに報知すべき表示、例えば、受信レベル、着信、メール受信、電池残量、現在時刻などの表示は、スクロールラインの移動中にも通常の表示状態を維持することが望ましい。
【００３６】
更に、上記実施例では、ジョグダイヤル(７)のスクロール操作によってスクロールラインが移動することで動作モードが切り替わる一例を説明したが、ジョグダイヤル(７)による入力に代えて、タッチパッドによる入力とし、例えばスクロールラインを複数の指でつかむようにしてスクロールラインを移動させる操作や、スクロールラインを指でドラッグして移動させる操作などによって、直接的にスクロールラインの移動を実現する構成を採用することも可能である。
更に又、上記実施例では、ジョグダイヤル(７)の押下スクロール操作からジョグダイヤル(７)の押下を解除する操作を、モード確定操作としているが、これに限らず、ジョグダイヤル(７)のスクロール操作中に別のキーを操作することで、動作モードを確定させることも可能である。
【図面の簡単な説明】
【００３７】
【図１】本発明に係る携帯電話機の表面と裏面を表わす図である。
【図２】該携帯電話機の構成を表わすブロック図である。
【図３】該携帯電話機におけるモード切り換え処理を表わすフローチャートである。
【図４】音楽再生モード、Ｗｅｂ画面表示モード、及び横長画面によるＴＶ視聴モードの切り換えを説明する図である。
【図５】通常画面によるＴＶ視聴モード、メール作成モード、及びフルキーボードモードの切り換えを説明する図である。
【図６】表示領域にスクロールバー表示部を表示した例を示す図である。
【図７】操作領域に音量バー表示部を表示した例を示す図である。
【図８】ＴＶ視聴モードにおけるチャンネル切り換えと機能選択のためのキーを表示した例を示す図である。
【符号の説明】
【００３８】
(５)  液晶ディスプレイ
(６)  タッチパネル入力装置
(９)  スクロールライン
(91)  表示領域
(92)  操作領域
【図１】
0005086005.tif 000002
【図２】
0005086005.tif 000003
【図３】
0005086005.tif 000004
【図４】
0005086005.tif 000005
【図５】
0005086005.tif 000006
【図６】
0005086005.tif 000007
【図７】
0005086005.tif 000008
【図８】
0005086005.tif 000009